(57)【要約】利用者が電源スイッチを押してから表示されるまでの時間を短縮する。準備状態５０２では、電源１１８から供給される電力により、破線３０１で囲まれた、アンテナ１０１、チューナ１０２、デコーダ１０３、音声処理部１０４、アンプ部１０５、映像処理部１０７、表示装置駆動回路１０８、制御部１１１、トリガ発生部１１６、センサ１１５、電源管理部Ａ１１７−１、電源管理部Ｂ１１７−２が動作している。それ以外の機能ブロックへは、電源管理部Ｂ１１７−２により電力供給がなされていない、或いは電力供給がなされていても、該当する機能ブロックが仕様上必要とする最低限の電力供給のみが行われている。センサ１１５は周囲の状況を感受し、結果をトリガ発生部１１６へ出力している。トリガ発生部１１６では、センサ１１５の出力を解析し、第２トリガの条件に合致した入力があれば、第２トリガ発生部１１６−２が第２トリガを生成し、情報出力状態への移行５０４を開始する。第２トリガとは、準備状態から情報出力状態に移行を開始する契機となる事象のことである。準備状態は、情報出力状態へ移行するために必要な時間の短縮を目的として、設けられている状態であり、待機状態から情報出力状態に至るまでの間の一つの状態を準備状態として定義する。【特許請求の範囲】
【請求項１】
当該情報処理装置以外の他装置の制御に関する他装置制御信号を傍受する他装置制御信号傍受部と、
前記他装置制御信号に基づいて前記制御が前記情報処理装置に関連する制御であるか否かを判断し、該判断の結果から、前記情報処理装置が待機状態から準備状態に移行する起因となる第１トリガを発生する第１トリガ発生部と
を備えることを特徴とする情報処理装置。
【請求項２】
前記他装置制御信号傍受部は光信号受光部であり、
前記第１トリガ発生部は、前記光信号受光部で受信した光信号が、他装置への動作開始操作であった場合に、前記制御が前記情報処理装置に関連する制御であると判断することを特徴とする請求項１に記載の情報処理装置。
【請求項３】
前記他装置制御信号傍受部は光信号受光部であり、
前記光信号受光部で受信した光信号が、該情報処理装置に関連する制御信号であるか否かを示した光信号参照情報を、関連する制御信号として格納していることを特徴とする請求項１に記載の情報処理装置。
【請求項４】
スイッチ、又は、前記光信号受光部より、情報出力状態への移行信号の受信により、前記準備状態から前記情報出力状態に移行する起因となる第２トリガを発生する第２トリガ発生部を備えることを特徴とする請求項２又は３に記載の情報処理装置。
【請求項５】
スイッチ、又は、前記光信号受光部より、前記準備状態への移行信号を受信し、前記情報出力状態から前記準備状態に移行する起因となる第３トリガを発生する第３トリガ発生部を備えることを特徴とする請求項２又は３に記載の情報処理装置。
【請求項６】
準備状態に移行してからの時間を計測する時間計測部と、
該時間計測部が保持する経過時間と、予め設定された時間と、を比較し、前記経過時間が前記設定された時間より長くなった場合に、前記準備状態から待機状態に移行する起因となる第４トリガを発生する第４トリガ発生部と、を備えることを特徴とする請求項４又は５に記載の情報処理装置。
【請求項７】
当該情報処理装置以外の他装置の制御に関する他装置制御信号を傍受する他装置制御信号傍受部と、
前記他装置制御信号に基づいて前記制御が前記情報処理装置に関連する制御であるか否かを判断し、該判断の結果から、前記準備状態を延長する起因となる第５トリガを発生する第５トリガ発生部と、を備えていることを特徴とする請求項６に記載の情報処理装置。
【請求項８】
前記他装置制御信号傍受部は光信号受光部であり、
前記第５トリガ発生部は、前記光信号受光部において受信した光信号が、他装置への動作開始以外の制御に関連する信号であった場合に、該情報処理装置に関連する制御であると判断することを特徴とする請求項７に記載の情報処理装置。
【請求項９】
前記他装置制御信号傍受部は光信号受光部であり、前記光信号受光部で受信した光信号が、該情報処理装置に関連する制御信号であるか否かを示した光信号参照情報を、関連する制御信号として格納していることを特徴とする請求項７に記載の情報処理装置。
【請求項１０】
動作状態として、
少なくとも音声情報又は映像情報を出力する情報出力状態と、
音声情報及び映像情報を出力せず、情報出力状態よりも電力消費が少ない待機状態と、
音声情報及び映像情報を出力せず、情報出力が指示された場合に情報出力状態へ移行する際にかかる時間が、前記待機状態から情報出力状態へ移行する際にかかる時間よりも短い準備状態と、を有し、
待機状態から準備状態に移行する時は他の装置への操作が該当情報処理装置に関連する操作であると判定した場合であり、
準備状態から情報出力状態に移行する時は予め定められた時間内に、情報出力状態への移行信号を受信した場合であり、
情報出力状態から準備状態へ移行する時は準備状態への移行信号を受信した場合であり、
準備状態から待機状態へ移行する時は準備状態に移行してからの経過時間が予め設定されたより長くなった場合であることを特徴とする請求項８又は９に記載の情報処理装置。
【発明の詳細な説明】
【技術分野】
【０００１】
本発明は、情報処理装置、テレビジョン放送受像機及びテレビジョン放送記録再生機等の電子機器に関し、特にこれらの電子機器の起動時間を短縮する技術に関する。
【背景技術】
【０００２】
デジタルテレビジョン放送が開始され高解像・高精細な映像音声がテレビジョン放送受信機で視聴できるようになった。また、ほぼ時を同じくして、テレビジョン放送受信機のネットワーク対応化が進んでいる。テレビジョン放送受信機のＯＳ（Ｏｐｅｒａｔｉｎｇ
Ｓｙｓｔｅｍ）がこれまでのＩＴＲＯＮに代表されるリアルタイム性を重視したＯＳから、Ｌｉｎｕｘに代表されるネットワーク対応ＯＳになりつつある。【０００３】
ネットワーク対応ＯＳへの変更によりＯＳの起動時間やアプリケーションプログラムの起動時間が長くなっている。すなわち、ＯＳの起動には、システム全体の初期化と各ハードウエアの初期化とを実行する必要があり、これらの処理に時間を要する。また、アプリケーションプログラムによりデジタル放送を受信し表示するためには、さらにチューナやデコーダ、表示デバイスなどについて細かく設定する必要があり、時間がかかる。すなわち、利用者が電源スイッチを押してから表示されるまでの時間がかかるようになった。【０００４】
利用者は、電源スイッチを押した瞬間に映像や音声が出力されることを好むため、利用者はここで時間がかかることを不満に感じる。このような利用者の要望を実現するためにＯＳの起動時間を短縮すれば良く、その課題に取り組んだ例として、特許文献１が挙げられる。特許文献１は、時間を要する処理を並列化して同時進行させることにより、起動時間の短縮化を図った技術を開示するものである。
【特許文献１】特開２００４−２１３５３０号公報
【発明の開示】
【発明が解決しようとする課題】
【０００５】
しかしながら、特許文献１に記載の技術では、複数の並列処理において最も長い処理に起動時間が収斂するため、デジタルテレビジョン放送受信機のようにチューナ又はデコーダ等の初期起動に時間を要する装置を包含している場合には、大幅な起動時間の短縮は難しい。また、起動時間を短縮化するために、常にＯＳを起動状態にし受信放送を継続的にデコードする方法も考えられるが、この方法では従来使用されているデジタルテレビジョン放送受像機よりも消費電力が大幅に増大するという問題点がある。【０００６】
本発明の目的は、電子機器において、電源が投入されてから実際に映像が表示され又は音声が出力されるまでの時間を短縮するとともに、消費電力の増大も抑制することである。
【課題を解決するための手段】
【０００７】
本発明の一観点によれば、当該情報処理装置以外の他装置の制御に関する他装置制御信号を傍受する他装置制御信号傍受部と、前記他装置制御信号に基づいて前記制御が前記情報処理装置に関連する制御であるか否かを判断し、該判断の結果から、前記情報処理装置が待機状態から準備状態に移行する起因となる第１トリガを発生する第１トリガ発生部とを備えることを特徴とする情報処理装置が提供される。発生した前記第１トリガにより情報処理装置は前記待機状態から前記準備状態に移行する。【０００８】
前記他装置制御信号傍受部は光信号受光部であり、前記第１トリガ発生部は、前記光信号受光部で受信した光信号が、他装置への動作開始操作であった場合に、前記制御が前記情報処理装置に関連する制御であると判断することが好ましい。【０００９】
前記他装置制御信号傍受部は光信号受光部であり、前記光信号受光部で受信した光信号が、該情報処理装置に関連する制御信号であるか否かを示した光信号参照情報を、関連する制御信号として格納していることが好ましい。ここで、スイッチ、又は、前記光信号受光部より、情報出力状態への移行信号の受信により、前記準備状態から前記情報出力状態に移行する起因となる第２トリガを発生する第２トリガ発生部を備えることが好ましい。発生した前記第２トリガにより前記準備状態から前記情報出力状態に移行する。また、スイッチ、又は、前記光信号受光部より、前記準備状態への移行信号を受信し、前記情報出力状態から前記準備状態に移行する起因となる第３トリガを発生する第３トリガ発生部を備えることが好ましい。前記発生した第３トリガにより前記情報出力状態から前記準備状態に移行する。【００１０】
本発明の他の観点によれば、準備状態に移行してからの時間を計測する時間計測部と、該時間計測部が保持する経過時間と、予め設定された時間と、を比較し、前記経過時間が前記設定された時間より長くなった場合に、前記準備状態から待機状態に移行する起因となる第４トリガを発生する第４トリガ発生部と、を備えることが好ましい。前記発生した第４トリガにより前記準備状態から前記待機状態に移行する。【００１１】
本発明の別の観点によれば、当該情報処理装置以外の他装置の制御に関する他装置制御信号を傍受する他装置制御信号傍受部と、前記他装置制御信号に基づいて前記制御が前記情報処理装置に関連する制御であるか否かを判断し、該判断の結果から、前記準備状態を延長する起因となる第５トリガを発生する第５トリガ発生部と、を備えていることを特徴とする情報処理装置が提供される。前記第５トリガにより前記時間計測部が保持する経過時間を予め設定された時間にする。【００１２】
前記他装置制御信号傍受部は光信号受光部であり、前記第５トリガ発生部は、前記光信号受光部において受信した光信号が、他装置への動作開始以外の制御に関連する信号であった場合に、該情報処理装置に関連する制御であると判断することが好ましい。前記他装置制御信号傍受部は光信号受光部であり、前記光信号受光部で受信した光信号が、該情報処理装置に関連する制御信号であるか否かを示した光信号参照情報を、関連する制御信号として格納していることが好ましい。【００１３】
前記第５トリガ発生部は、前記光信号受光部で受信した光信号が、該情報処理装置に関連する操作信号であるか否かを示した光信号参照情報内に、関連する操作信号であるとして格納されていた場合に、該情報処理装置に関連する操作であると判断する。
【発明の効果】
【００１４】
本発明によれば、利用者が実際に電源投入する前に他の装置に対する操作を行った場合に、その信号を光信号受光部で受け、解析することで、本装置と関連の高い操作であると判断した場合に、利用者の電源投入に先行して、一定段階まで装置を起動しておくことで、利用者の電源投入から実際の映像が表示され、または、音声が出力されるまでの時間を短縮することが可能な、また、利用者の電源投入が無かった場合は、一定時間まで起動した装置を再び元の状態に戻すことで消費電力を抑制することが可能な、情報処理装置、テレビジョン放送受信機及びテレビジョン放送記録再生機を提供できる。
【図面の簡単な説明】
【００１５】
【図１】本発明の一実施の形態による電子機器の一構成例を示す回路ブロック図である。
【図２】待機状態の回路の稼動状態を示す回路ブロック図である。
【図３】準備状態の回路の稼動状態を示す回路ブロック図である。
【図４】情報出力状態の回路の稼動状態を示す回路ブロック図である。
【図５】上記３つの状態の遷移を示す状態遷移図である。
【図６】待機状態から準備状態への移行動作を示すフローチャート図である。
【図７】準備状態から情報出力状態への移行動作を示すフローチャート図である。
【図８】情報出力状態から準備状態への移行動作を示すフローチャート図である。
【図９】準備状態から待機状態への移行動作を示すフローチャート図である。
【図１０】待機状態から情報出力状態への移行動作を示すフローチャート図である。
【図１１Ａ】本発明の実施例によるテレビジョン放送記録再生機の外観図である。
【図１１Ｂ】本発明の一実施形態におけるテレビジョン放送受信機の外観図である。
【図１２】本発明の実施例によるテレビジョン放送記録再生機の機能ブロック図である。
【図１３】本発明の実施例によるテレビジョン放送受信機の機能ブロック図である。
【図１４】機器制御信号の生成例を示す図である。
【図１５】機器制御信号の抽出例を示す図である。
【図１６】複数の機器に対する機器制御信号を解析するフローチャート図である。
【図１７】本発明の実施例によるトリガ発生部で用いる機器制御信号参照テーブルの一構成例を示す図である。
【図１８】本発明の実施例によるトリガ発生部で用いる機器制御信号参照テーブルの一構成例である。
【図１９】本発明の実施例によるテレビジョン放送記録再生機の機能ブロック図である。
【符号の説明】
【００１６】
１０１  アンテナ
１０２  チューナ
１０３  デコーダ
１０４  音声処理部
１０５  アンプ部
１０６  スピーカ（テレビジョン放送記録再生機の場合は音声出力端子に相当）
１０７  映像処理部（映像信号の画質を調整する）
１０８  表示装置駆動回路（映像信号を表示装置に表示する信号に変換する）
１０９  表示装置（テレビジョン放送記録再生機の場合は映像出力端子に相当）
１１０  バックライト（表示装置の明るさを得る装置）
１１１  機器全体の制御を行う制御部であり、状態設定装置の一部である。
【００１７】
１１２  中央プロセッシングユニットである。
【００１８】
１１３  主にＣＰＵがプログラムの実行に使用するＲＡＭである。
【００１９】
１１４  プログラムが格納されているＲＯＭである。
【００２０】
１１５  センサである。
【００２１】
１１６  センサの信号を解析するトリガ発生部であり、状態設定装置の一部である。また、第１トリガ発生部、第２トリガ発生部、第３トリガ発生部、第４トリガ発生部、第５トリガ発生部及び時間計測部を含む。
【００２２】
１１６−１  第１トリガを発生する第１トリガ発生部である。
【００２３】
１１６−２  第２トリガを発生する第２トリガ発生部である。
【００２４】
１１６−３  第３トリガを発生する第３トリガ発生部である。
【００２５】
１１６−４  第４トリガを発生する第４トリガ発生部である。
【００２６】
１１６−５  第５トリガを発生する第５トリガ発生部である。
【００２７】
１１６−６  第６トリガを発生する第６トリガ発生部である。
【００２８】
１１７  機器内の各部の電源をＯＮ／ＯＦＦを管理する電源管理部である。
【００２９】
１１８  電源である。
【００３０】
１１９  電源ラインである。
【００３１】
１２０  制御ラインである。
【００３２】
１２１  回路の動作周波数を決定するクロックである。
【００３３】
１２２  時間を計測する時間計測部である。
【００３４】
１２３  視聴情報提示手段である。少なくとも表示装置、スピーカを含む。
【００３５】
２０１  稼動している部分を示す。
【００３６】
３０１  稼動している部分を示す。
【００３７】
４０１  稼動している部分で示す。
【００３８】
５０１  待機状態を示す。    
５０２  準備状態を示す。
【００３９】
５０３  情報出力状態を示す。
【００４０】
５０４  待機状態から準備状態への移行を示す。
【００４１】
５０５  準備状態から情報出力状態への移行を示す。
【００４２】
５０６  情報出力状態から準備状態への移行を示す。
【００４３】
５０７  準備状態から待機状態への移行を示す。
【００４４】
５０８  待機状態から情報出力状態への移行を示す。
【００４５】
５０９  引き続き準備状態に保たれることを示す。
【００４６】
１１１０  テレビジョン放送受信機を示す。
【００４７】
１１２０  テレビジョン放送記録再生機を示す。
【００４８】
１２００  電源スイッチを示す。
【００４９】
１２０１  リモコン受光装置を示す。
【００５０】
１２０２  信号のセレクタである。
【００５１】
１２０３  情報提示手段である。
【００５２】
１２０４  音声出力端子に出力する音声信号を生成する音声信号生成部である。
【００５３】
１２０５  音声信号を他の機器に出力するための音声出力端子である。
【００５４】
１２０６  映像出力端子に出力する映像信号を生成する映像信号生成部である。
【００５５】
１２０７  映像信号を他の機器に出力するための映像出力端子である。
【００５６】
１２０８  蓄積装置である。
【００５７】
１２０９  他の機器の通電状態を判定するオン・オフ判定部である。
【００５８】
１２５０  機器制御信号のデータの例である。
【００５９】
１２５１  機器制御信号のデータの符号化例である。
【００６０】
１２５２  符号化された機器制御信号のデータの波形の例である。
【００６１】
１２５３  リーダの波形の例である。
【００６２】
１２５４  ストップビットの波形の例である。
【００６３】
１２５５  機器制御信号の波形の例である。
【００６４】
１２５６  キャリア波の例である。
【００６５】
１２５７  機器制御信号の出力波形の例である。
【００６６】
１２６０  機器制御信号の入力波形の例である。
【００６７】
１２６１  リモコン受光装置の出力例である。
【００６８】
１２６２  リモコン受光装置の出力の測定例である。
【００６９】
１２６３  測定した値がフォーマットにしたがっているか判断する部分である。
【００７０】
１２６４  抽出された機器制御信号のデータの例である。
【００７１】
１３００  参照テーブル全体を示す。
【００７２】
１３０１  参照テーブルにおける機器制御信号部を示す。
【００７３】
１３０２  参照テーブルにおけるトリガ種別部を示す。
【００７４】
１３１０  参照テーブル全体を示す。
【００７５】
１３１１  参照テーブルにおける機器制御信号部を示す。
【００７６】
１３１２  参照テーブルにおけるトリガ種別部を示す。
【発明を実施するための最良の形態】
【００７７】
次に、本発明の一実施の形態による電子機器について図面を参照しつつ説明を行う。本実施の形態による電子機器においては、以下に説明する３つの状態をとりうる。【００７８】
１）情報出力状態
この状態は、電子機器が情報を出力している状態である。例えば、テレビジョン放送受信機においては、映像情報や音声情報が出力され視聴できる状態である。テレビジョン放送記録再生機の場合、映像音声（ＡＶ）出力端子へ映像情報や音声情報を出力している状態である。厳密には出力とは言えないが情報を録画している状態も含む。【００７９】
２）待機状態
この状態は、電子機器が情報を出力しておらず、情報出力状態よりも消費電力の少ない状態である。例えば、ＣＰＵ（Ｃｅｎｔｒａｌ  Ｐｒｏｃｅｓｓｉｎｇ  Ｕｎｉｔ）のクロック周波数を低くする、ＣＰＵの動作を停止させる、或いは、放送波を復調、デコードしない、或いは、使用しない回路ブロックの電源を遮断するなどの状態が挙げられる。【００８０】
３）準備状態
この状態は、電子機器が情報を出力しておらず、待機状態よりも消費電力が大きいが、情報出力状態への移行時間は短い状態を言う。例えば、テレビジョン放送受信機の場合、情報出力状態から視聴情報提示手段（少なくとも後述する図１の表示装置１０９、スピーカ１０６）の出力をＯＦＦした状態である。テレビジョン放送記録再生機の場合は、情報出力状態からＡＶ出力端子への出力をＯＦＦした状態である。或いは、記録媒体へ書き込み（出力）していない状態である。【００８１】
次に、上記３つの状態から、それぞれ別の状態へ移行する起因となるトリガを以下のように定義する。【００８２】
１）第１トリガ：待機状態から準備状態に移行する起因となるトリガである。【００８３】
２）第２トリガ：準備状態から情報出力状態に移行する起因となるトリガである。【００８４】
３）第３トリガ：情報出力状態から準備状態に移行する起因となるトリガである。【００８５】
４）第４トリガ：準備状態から待機状態に移行する起因となるトリガである。【００８６】
５）第５トリガ：準備状態を延長するトリガである。準備状態に移行してからの経過時間が例えば予め設定された時間にする度に発生する。【００８７】
６）第６トリガ：待機状態から情報出力状態に移行する起因となるトリガである。【００８８】
従来の電子機器では、「待機状態」、「情報出力状態」の２つの状態をとりうるが、本実施の形態では第３の状態である「準備状態」を用意することにより上記課題を解決する。【００８９】
図５は、上記３つの状態に関する状態遷移図である。図５に示すように、待機状態５０１と、準備状態５０２と、情報出力状態５０３と、の間では、待機状態５０１から準備状態５０２への遷移５０４と、準備状態５０２から情報出力状態５０３への遷移５０５と、情報出力状態５０３から準備状態５０２への遷移５０６と、準備状態５０２から待機状態５０１への遷移５０７と、待機状態５０１から情報出力状態５０３への遷移５０８と、を有する。【００９０】
図１は、本実施の形態による電子機器の例として示す液晶テレビジョン受像装置（液晶テレビ）の一構成例を示す機能ブロック図である。図１に示すように、本実施の形態による電子機器は、放送波を受信するアンテナ１０１と、受信した放送波を復調するチューナ１０２と、符号化された映像を復号化するデコーダ１０３と、符号化された音声信号をアナログ音声信号に変換する音声処理部１０４と、アナログ音声信号を増幅するアンプ部１０５と、スピーカ（音声出力端子）１０６と、映像信号の画質を調整する映像処理部１０７と、映像信号を表示装置に表示する信号に変換する表示装置駆動回路１０８と、映像を表示する表示装置（映像出力端子）１０９と、バックライト１１０と、機器全体の制御を行う制御部１１１と、中央プロセッシングユニット１１２と、ＲＡＭ１１３と、ＲＯＭ１１４と、センサ１１５と、センサの信号を解析するトリガ発生部１１６（第１〜第６トリガ発生部１１６−１〜１１６−６及び時間計測部を含む。）と、機器内の各部の電源をＯＮ／ＯＦＦを管理する電源管理部１１７と、電源１１８と、電源ライン１１９と、制御ライン１２０と、回路の動作周波数を決定するクロック１２１と、時間を計測する時間計測部１２２と、を有する。【００９１】
以下に、３つの状態、及びそれらの状態を移行する条件と手順とについて説明する。【００９２】
（１）待機状態５０１について図１と図２とを参照して説明する。待機状態では、電源１１８から供給される電力により、破線２０１で囲まれた制御部１１１、トリガ発生部１１６、センサ１１５、電源管理部Ａ１１７−１が動作している。【００９３】
それ以外の機能ブロックへは、電源管理部Ａ１１７−１からの電力供給がなされていない。又は電源管理部Ａ１１７−１からの電力供給がなされていても、該当する機能ブロックが仕様上必要とする最低限の電力供給のみが行われている。これらの機能ブロックが実際に動作するために必要な電力供給と比べると少ない。ここで、センサ１１５は、電子機器の周囲の状況を感受し、その結果をトリガ発生部１１６へ出力している。トリガ発生部１１６では、センサ１１５からの出力を解析し、第１トリガの条件に合致した入力があれば、第１トリガ発生部１１６−１が第１トリガを生成し、準備状態への移行を開始する。第１トリガ発生部１１６−１は制御部に含まれていても良い。【００９４】
制御部１１１の稼動状態に関してはさまざまな状態が考えられるが、例えばクロック１２１信号の周波数を下げた状態で稼動するか、或いはＲＡＭ１１３のみ電力供給しＣＰＵ１１２とＲＯＭ１１４との電力は遮断するか、或いはＲＡＭ１１３のデータをＲＯＭ１１４（この場合は、書き換え可能なＦＬＡＳＨ  ＲＯＭである。）へ書き写した後に制御部１１１内の全て電力遮断する、など一般的な消費電力削減手法を用いることができる。【００９５】
消費電力削減方法としては、待機状態から他の状態に移行する際に必要な時間と、削減される消費電力と、がトレードオフの関係にあるため、機器の設計仕様により決定される。【００９６】
ここでは、一例として、待機状態にある制御部１１１は、ＣＰＵ１１２への電力供給は停止するがＲＡＭ１１３への電源供給は停止しない、いわゆる、サスペンドモード、もしくは、スタンバイモードを用いているものとして以下の説明を行う。【００９７】
尚、制御部１１１がサスペンドモードから電力供給が普通に行われる通常動作モードへの復帰は、一般的には、割り込みコントローラの出力を電力供給開始のトリガとすることで行われる。これにより、制御部１１１に対して、外部からの何かしらの刺激を起因として、もしくは、制御部１１１の内部タイマの経過などを起因として、サスペンドモードから通常モードに復帰することができる。また、通常動作モードからサスペンドモードに移行するには、専用の命令を実行する方法や、特定のレジスタをアクセスする方法などがある。【００９８】
このようなサスペンドモードにある制御部１１１においては、ＯＳはアイドル状態で停止している。すなわち、アプリケーションプログラムにおいて、これ以上行うべき処理が無くなり、また、ＯＳにおいても、これ以上行うべき処理が無くなったため、システム全体としてアイドル状態になり、その時点でサスペンドモードに移行することで、次に何かしら必要な処理が発生し、その処理を行うためにＯＳが再開するまで、ＣＰＵ１１２の電力消費を抑えることができる。【００９９】
また、サスペンドモードに移行する前に、待機状態時に電源供給が停止されるハードウエアに設定しているデータをＲＡＭ１１３上へ退避させておくことにより、サスペンドモードから通常動作モードへの復帰時に、それらのデータをＲＡＭ１１３上から読み出し再設定することで、これらのハードウエアの状態を待機状態に入る前の状態に、迅速に復帰させることが可能となる。但し、待機状態は、少なくとも第１トリガ及び第６トリガを発生することができる状態であれば良く、サスペンドモードに限定されるものではない。【０１００】
（２）準備状態５０２について図３を参照して説明する。【０１０１】
準備状態５０２では、電源１１８から供給される電力により、破線３０１で囲まれた、アンテナ１０１、チューナ１０２、デコーダ１０３、音声処理部１０４、アンプ部１０５、映像処理部１０７、表示装置駆動回路１０８、制御部１１１、トリガ発生部１１６、センサ１１５、電源管理部Ａ１１７−１、電源管理部Ｂ１１７−２が動作している。【０１０２】
それ以外の機能ブロックへは、電源管理部Ｂ１１７−２により電力供給がなされていない、或いは電力供給がなされていても、該当する機能ブロックが仕様上必要とする最低限の電力供給のみが行われている。【０１０３】
センサ１１５は周囲の状況を感受し、結果をトリガ発生部１１６へ出力している。トリガ発生部１１６では、センサ１１５の出力を解析し、第２トリガの条件に合致した入力があれば、第２トリガ発生部１１６−２が第２トリガを生成し、情報出力状態への移行５０５を開始する。情報出力状態への移行５０５については後述する。第２トリガとは、準備状態から情報出力状態に移行を開始する契機となる事象のことである。具体的にどのような事象であるかについては後述する。第２トリガ発生部１１６−２は制御部１１１に含まれていても良い。【０１０４】
制御部１１１は、ＣＰＵ１１２、ＲＡＭ１１３、ＲＯＭ１１４共に電力供給がされＯＳが動作しており、その上でアプリケーションプログラムが動作している状態である。また、このとき、アプリケーションプログラムは、その内部状態として、「準備状態」を保持することになり、「準備状態」に対応する処理を行う。【０１０５】
チューナ１０２は、放送波の受信を行い受信信号の復調を行っており、映像信号をデコーダ１０３へ、音声信号を音声処理部１０４へ出力している。上記映像信号が入力したデコーダ１０３は、符号圧縮された映像信号の復号処理を行っており、映像処理部１０７へ復号済み映像データを出力している。上記音声信号が入力した音声処理部１０４は、符号圧縮された音声信号の復号処理を行っており、アンプ部１０５へ復号済み音声データを出力している。【０１０６】
上記復号済み映像データを入力された表示装置駆動回路１０８は、データの画質調整を行っており、表示装置１０９が表示できるデータに変換するが、データを表示装置１０９へは出力しないか、もしくは真っ黒な画面を表示する。復号済み音声データを入力されたアンプ部１０５は、データを増幅せず、スピーカ１０６へも出力しない。アンプ部１０５の電源投入から音声出力されるまでの時間が十分高速であれば、アンプ部１０５への電源を遮断しても良い。電源管理部Ｂ１１７−２は、表示装置１０９及びバックライト１１０へ電力を供給しない。時間計測部１２２は、準備状態５０２に移行してからの経過時間を計測しており、トリガ発生部１１６に含まれている。経過時間が予め設定されたある値（例えば５分間）以上になると、トリガ発生部１１６−４は待機状態５０１に移行する起因となる第４トリガを生成する。準備状態５０２から待機状態５０１への移行の詳細は後述する。時間計測部１２２及び第４トリガ発生部１１６−４は制御部１１１に含まれていても良い。【０１０７】
ここで、準備状態は、情報出力状態へ移行するために必要な時間の短縮を目的として、設けられている状態であり、本実施の形態において説明した状態に限らず、待機状態から情報出力状態に至るまでの間の一つの状態を準備状態として定義する。具体的には、ＣＰＵ１１２が待機状態からサスペンドモードに変更された状態又はスタンバイモードから通常動作モードにモード変更された状態を準備状態として使用しても良い。また、チューナ１０２が放送波の受信をしている状態、チューナ１０２が出力したデータをデコーダ１０３が復号処理を行う状態、又は映像処理部１０７がデコーダ１０３から出力されるデータに対して映像処理を施している状態を準備状態としても良い。【０１０８】
また、表示装置駆動回路１０８が映像処理部１０７から出力されるデータを表示装置１０９が表示可能なデータ形式に変換を行うが前記データを表示装置１０９へは出力しない状態、又は黒色の画面を表示する状態を準備状態としても良い。また、音声処理部１０４がチューナ１０２から出力されたデータに対して復号処理を行っている状態、又はアンプ部１０５が音声処理部１０４から出力された復号済み音声データを増幅せず、スピーカ１０６へも音声を出力しない状態を準備状態としても良い。【０１０９】
（３）情報出力状態５０３について図４を参照しつつ説明する。【０１１０】
情報出力状態５０３では、電源１１８から供給される電力により、破線４０１で囲まれたアンテナ１０１、チューナ１０２、デコーダ１０３、音声処理部１０４、アンプ部１０５、スピーカ１０６、映像処理部１０７、表示装置駆動回路１０８、表示装置１０９、バックライト１１０、制御部１１１、トリガ発生部１１６、センサ１１５、電源管理部Ａ１１７−１、電源管理部Ｂ１１７−２が動作している。【０１１１】
センサ１１５は周囲の状況を感受し、その結果をトリガ発生部１１６へ出力している。トリガ発生部１１６では、センサ１１５の出力を解析し、必要に応じて制御部１１１への通知、或いは電源管理部Ａ１１７−１、電源管理部Ｂ１１７−２の制御を行う。例えば、周囲の明るさに変化があれば、トリガ発生部１１６は電源管理部Ｂ１１７−２に対してバックライト１１０の明るさを変更するよう指示を出す。例えば、周囲がより明るくなれば、利用者が見やすいように、バックライト１１０の明るさを弱める。外部から電源ＯＦＦの指示があれば、待機状態への移行５０７を開始するように各部への指示を出す。待機状態への移行５０７については後述する。【０１１２】
制御部１１１においては、ＣＰＵ１１２、ＲＡＭ１１３、ＲＯＭ１１４が共に電力供給されており、ＯＳが動作しており、ＯＳ上でアプリケーションプログラムが動作している状態である。また、このとき、アプリケーションプログラムは、その内部状態として、「情報出力状態」を保持することになり、「情報出力状態」に対応する処理を行う。チューナ１０２は、放送波の受信を行い受信信号の復調を行っており、映像信号をデコーダ１０３へ出力し、音声信号を音声処理部１０４へ出力している。制御部１１１からチャンネル変更の指示があると、チャンネル周波数の変更が行われる。【０１１３】
映像信号が入力されたデコーダ１０３は、符号圧縮された映像信号の復号処理を行っており、映像処理部１０７へ復号済み映像データを出力している。音声信号が入力された音声処理部１０４は、符号圧縮された音声信号の復号処理を行っており、アンプ部１０５へ復号済み音声データを出力している。復号済み映像データが入力された表示装置駆動回路１０８は、データの画質調整を行っており、表示装置１０９が表示できるデータに変換して表示装置１０９へ出力している。復号済み音声データが入力されたアンプ部１０５は、データを増幅し、スピーカ１０６へ出力する。【０１１４】
電源管理部Ｂ１１７−２は、表示装置１０９及びバックライト１１０に対して電力を供給しており、表示装置１０９では表示装置駆動回路１０８において生成されたデータを表示し、バックライト１１０はトリガ発生部１１６から指示された明るさで点灯する。【０１１５】
（４）待機状態から準備状態への移行５０４について図６を参照して説明する。図６は、待機状態から準備状態への移行を示す一連のフローチャート図であり、トリガ発生部１１６のフローチャート図、電源管理部Ａ１１７−１のフローチャート図、制御部１１１のフローチャート図がそれぞれ示されている。これらは独立して動作しているとして説明を行う。【０１１６】
まず、トリガ発生部１１６での移行処理について説明する。ステップＳ６０１において、センサ１１５は外部からの情報を取得する。ステップＳ６０２において、トリガ発生部１１６はセンサ１１５が取得した情報を解析する。ステップＳ６０３において、ステップＳ６０２における解析結果から第１トリガが生成可能な場合は、次のステップＳ６０４に進む。第１トリガが生成不能な場合は、ステップＳ６０１に戻る。第１トリガとは、待機状態から準備状態に移行を開始するきっかけとなる事象のことである。具体的にどのような事象であるかについては後述する。ステップＳ６０４において、第１トリガ発生部１１６−１は第１トリガを生成する。以上のステップで、トリガ発生部１１６は移行処理を終える。【０１１７】
次に、電源管理部Ａ１１７−１での移行処理について説明する。ステップＳ６１１において、電源管理部Ａ１１７−１は、トリガ発生部１１６からの第１トリガがあれば、次のステップＳ６１２に進む。トリガ発生部１１６からの第１トリガがなければ、ステップＳ６１１の処理を繰り返す。ステップＳ６１２において、電源管理部Ａ１１７−１は、準備状態で動作する必要のある各機能ブロックに対して、電力を供給する。具体的には、チューナ１０２、デコーダ１０３、音声処理部１０４、アンプ部１０５、映像処理部１０７、表示装置駆動回路１０８、及び、電源管理部Ｂ１１７−２へ電力を供給する。以上のステップで、電源管理部Ａ１１７−１は移行処理を終える。【０１１８】
次に、制御部１１１での移行処理を説明する。ステップＳ６２１において、制御部１１１は、トリガ発生部１１６からの第１トリガがあれば、次のステップＳ６２２に進む。第１トリガがなければ、ステップＳ６２１の処理を繰り返す。ステップＳ６２２において、制御部１１１は電力削減状態から通常に稼動する状態に復帰する。このとき、制御部１１１では、サスペンドモードにあったＣＰＵ１１２に対して電力供給が行われ、通常動作モードに移行し、停止していたＯＳが再開する。ステップＳ６２３において、制御部１１１上で再開したＯＳは、準備状態で動作する必要のある各機能ブロックの起動が全て完了したか否かを判断し、起動が全て完了していれば、ステップＳ６２７に進む。起動が完了していなければ、次のステップＳ６２４に進む。ここで、準備状態で動作する必要のある各機能ブロックとは、具体的には、チューナ１０２、デコーダ１０３、音声処理部１０４、アンプ部１０５、映像処理部１０７、表示装置駆動回路１０８、及び、電源管理部Ｂ１１７−２である。【０１１９】
ステップＳ６２４では、まだ起動を行っていない機能ブロックに対して、それが制御可能となっているか否かを判断する。制御可能となっていなければステップＳ６２３に戻る。制御可能となっていれば次のステップＳ６２５に進む。ステップＳ６２５では、ＯＳは、その該当する機能ブロックに対して起動の指示を出す。ステップＳ６２６では、ＯＳは、待機状態５０１に移行する時に、予めＲＡＭ１１３へ退避させておいた、上記該当する機能ブロックの設定データを用いて再設定を行い、ステップＳ６２３に戻る。尚、電源管理部Ａ１１７−１からの電力供給のみで起動する機能ブロックに対しては、ステップＳ６２５、及び、ステップＳ６２６の処理は行わなくてもよい。【０１２０】
ステップＳ６２７では、ＯＳからアプリケーションプログラムに処理が戻る。そして、アプリケーションプログラムは、それが使用する内部状態を、「準備状態」へ変更する。以降、アプリケーションプログラムは、「準備状態」に対応する処理を行う。以上のステップで、制御部１１１は移行処理を終える。【０１２１】
尚、ステップＳ６２３に入ってからステップＳ６２７に至るまでに、該当する機能ブロックでは、以下のような処理が行われる。【０１２２】
起動指示を受けたチューナ１０２は、放送波の受信を行い受信信号の復調を行い、映像信号をデコーダ１０３へ出力し、音声信号を音声処理部１０４へ出力する。映像信号が入力されたデコーダ１０３は、符号圧縮された映像信号の復号処理を行い、映像処理部１０７へ復号済み映像データを出力する。また、音声信号が入力された音声処理部１０４は、符号圧縮された音声信号の復号処理を行い、アンプ部１０５へ復号済み音声データを出力する。復号済み映像データが入力された表示装置駆動回路１０８は、復号済み映像データの画質調整を行い、表示装置１０９が表示できるデータに変換する。但し、このデータを表示装置１０９へは出力しない。また、上記復号済み音声データが入力されたアンプ部１０５は、復号済み音声データを増幅せず、スピーカ１０６へも出力しない。尚、アンプ部１０５の電源投入から音声出力されるまでの時間が充分高速であれば、アンプ部１０５への電源を遮断したままでも良い。電源管理部Ｂ１１７−２は、表示装置１０９及びバックライト１１０へ電力を供給しない状態で保持しておく。上記の手順により、待機状態から準備状態への移行を完了する。また、上記移行作業を行っている最中に、第２トリガが発行されれば引き続き情報出力状態へ移行する。【０１２３】
（５）準備状態から情報出力状態への移行５０５について図７を参照しつつ説明する。図７は、準備状態から情報出力状態への移行処理の流れを示す一連のフローチャート図であり、トリガ発生部１１６のフローチャート図、電源管理部Ｂ１１７−２のフローチャート図、制御部１１１のフローチャート図をそれぞれ示している。これらは独立して動作しているものとして説明を行う。【０１２４】
まず、トリガ発生部１１６での移行処理について説明する。ステップＳ７０１において、センサ１１５は外部からの情報を取得する。ステップＳ７０２において、トリガ発生部１１６はセンサ１１５が取得した情報を解析する。ステップＳ７０３において、上記解析結果から第２トリガが生成可能な場合、次のステップＳ７０４に進む。第２トリガが生成不能な場合は、ステップＳ７０１に戻る。ステップＳ７０４において、第２トリガ発生部１１６−２は第２トリガを生成する。以上のステップで、トリガ発生部１１６は移行処理を終える。【０１２５】
次に、電源管理部Ｂ１１７−２での移行処理について説明する。ステップＳ７１１において、電源管理部Ｂ１１７−２は、トリガ発生部１１６からの第２トリガがあれば、次のステップＳ７１２に進む。第２トリガがなければ、ステップＳ７１１の処理を繰り返す。ステップＳ７１２において、電源管理部Ｂ１１７−２は、情報出力状態で動作する必要のある各機能ブロックに対して、電力を供給する。具体的には、表示装置１０９とバックライト１１０へ電力を供給する。以上のステップで、電源管理部Ｂ１１７−２は移行処理を終える。【０１２６】
次に、制御部１１１での移行処理について説明する。ステップＳ７２１において、制御部１１１は、トリガ発生部１１６からの第２トリガがあれば、次のステップＳ７２２に進む。第２トリガがなければ、ステップＳ７２１を繰り返す。ステップＳ７２２において、制御部１１１上で動作しているＯＳは、情報出力状態にするにあたって制御の必要のある各機能ブロックの設定が全て完了しているか否かを判断し、各機能ブロックの設定が完了していれば、ステップＳ７２４に進む。完了していなければ、次のステップＳ７２３に進む。ここで、制御の必要な各機能ブロックとは、具体的には、アンプ部１０５と表示装置駆動回路１０８である。ステップＳ７２３では、ＯＳは、情報出力状態５０３に移行する時に、予めＲＡＭ１１３へ退避させておいた機能ブロックの設定データを用いて再設定を行い、ステップＳ７２２に戻る。【０１２７】
ステップＳ７２４では、ＯＳからアプリケーションプログラムに処理が戻る。そして、アプリケーションプログラムは、それが使用する内部状態を、「情報出力状態」へ変更する。以降、アプリケーションプログラムは、「情報出力状態」に対応する処理を行う。以上のステップで、制御部１１１は移行処理を終える。尚、ステップＳ７２２に入ってからステップＳ７２６に至るまでに、該当する機能ブロックでは、以下の処理が行われる。【０１２８】
制御部１１１は、アンプ部１０５に音声出力指示を出し、表示装置駆動回路１０８に映像出力指示を出す。これにより、アンプ部１０５の出力は、スピーカ１０６へ出力されるとともに、表示装置駆動回路１０８の出力は、表示装置１０９へ出力され、利用者が視聴できる状態になる。上記の手順により、準備状態から情報出力状態への移行を完了する。【０１２９】
（６）情報出力状態から準備状態への移行５０６について図８を参照して説明する。図８は、情報出力状態から準備状態への移行の流れを示す一連のフローチャート図であり、トリガ発生部１１６のフローチャート図、電源管理部Ｂ１１７−２のフローチャート図、制御部１１１のフローチャート図をそれぞれ示している。これらは独立して動作しているものとして説明する。【０１３０】
まず、トリガ発生部１１６における移行処理について説明する。ステップＳ８０１において、センサ１１５は外部からの情報を取得する。ステップＳ８０２において、トリガ発生部１１６はセンサ１１５が取得した情報を解析する。ステップＳ８０３において、上記解析結果から電源ＯＦＦが認められた場合に、次のステップＳ８０４に進む。電源ＯＦＦが認められない場合は、ステップＳ８０１に戻る。ステップＳ８０４において、第３トリガ発生部１１６−３は第３トリガを生成する。以上のステップで、トリガ発生部１１６は移行処理を終える。【０１３１】
次に、電源管理部Ｂ１１７−２での移行処理について説明する。ステップＳ８１１において、電源管理部Ｂ１１７−２は、トリガ発生部１１６からの第３トリガがあれば、次のステップＳ８１２に進む。第３トリガがなければ、ステップＳ７１１の処理を繰り返す。ステップＳ８１２において、電源管理部Ｂ１１７−２は、準備状態で動作する必要のない各機能ブロックに対する電力供給を遮断する。具体的には、表示装置１０９とバックライト１１０への電力を遮断する。以上のステップで、電源管理部Ｂ１１７−２は移行処理を終える。【０１３２】
次に、制御部１１１での移行処理について説明する。ステップＳ８２１において、制御部１１１は、トリガ発生部１１６からの第３トリガがあれば、次のステップＳ８２２に進む。第３トリガがなければ、ステップＳ８２１を繰り返す。ステップＳ８２２において、制御部１１１上で動作しているＯＳは、準備状態にするにあたって制御の必要のある各機能ブロックの制御が全て完了しているか否かを判断し、完了していれば、ステップＳ８２４に進む。完了していなければ、次のステップＳ８２３に進む。ここで、準備状態にするにあたって制御の必要な各機能ブロックとは、アンプ部１０５と表示装置駆動回路１０８である。【０１３３】
ステップＳ８２３では、ＯＳは、その該当する機能ブロックに設定されているデータを、次回の設定に備えてＲＡＭ１１３へ退避させた後に停止処理を行う。ステップＳ８２４では、ＯＳからアプリケーションプログラムに処理が戻る。そして、アプリケーションプログラムは、それが使用する内部状態を、「準備状態」へ変更する。以降、アプリケーションプログラムは、「準備状態」に対応する処理を行う。以上のステップで、制御部１１１は移行処理を終える。尚、ステップＳ８２２に入ってからステップＳ８２４に至るまでに、該当する機能ブロックでは、以下のような処理が行われる。【０１３４】
制御部１１１は、アンプ部１０５に音声出力停止の指示を出し、表示装置駆動回路１０８に映像出力停止の指示を出す。これにより、アンプ部１０５の出力は、スピーカ１０６へ出力されなくなるとともに、表示装置駆動回路１０８の出力も、表示装置１０９へ出力されなくなり、利用者が視聴できない状態になる。上記の手順で、情報出力状態から準備状態への移行を完了する。【０１３５】
（７）準備状態から待機状態への移行５０７について図９を参照して説明する。図９は、待機状態から準備状態への移行を示す一連のフローチャート図であり、トリガ発生部１１６のフローチャート図、電源管理部Ａ１１７−１のフローチャート図、制御部１１１のフローチャート図をそれぞれ示している。これらは独立して動作しているものとして説明する。まず、トリガ発生部１１６における移行処理について説明する。ステップＳ９０１において、トリガ発生部１１６は、待機状態へ移行する時間を設定する。これは、準備状態に入ったときに、制御部１１１から設定されるものとする（例えば５分間）。ステップＳ９０２において、時間計測部１２２から現在時間を取得する。ステップＳ９０３において、現在時間が指定時間に達したか否かを判断し、指定時間に達していれば次のステップＳ９０４に進む。指定時間に達していなければ、ステップＳ９０３の処理を繰り返す。ステップＳ９０４において、第４トリガ発生部１１６−４は第４トリガを生成する。以上のステップで、トリガ発生部１１６は移行処理を終える。【０１３６】
次に、制御部１１１での移行処理を説明する。ステップＳ９２１において、制御部１１１は、トリガ発生部１１６からの第４トリガがあれば、次のステップＳ９２２に進む。第４トリガがなければ、ステップＳ９２１を繰り返す。ステップＳ６２２において、制御部１１１上で動作しているＯＳは、待機状態で動作する必要のない各機能ブロックの動作が全て停止したか否かを判断し、動作が停止していれば、ステップＳ９２４に進む。動作が停止していなければ、次のステップＳ９２５に進む。ここで、待機状態で動作する必要のない各機能ブロックとは、具体的には、チューナ１０２、デコーダ１０３、音声処理部１０４、アンプ部１０５、映像処理部１０７、表示装置駆動回路１０８、及び、電源管理部Ｂ１１７−２である。【０１３７】
ステップＳ９２３では、ＯＳは、停止していない上記機能ブロックに設定されているデータをＲＡＭ１１３に保存するとともに、その機能ブロックに対して停止の指示を出し、ステップＳ９２２に戻る。停止の指示を受けた各機能ブロックは必要に応じた終了処理を行う。ステップＳ９２４では、ＯＳは、電源管理部Ａ１１７−１に電源遮断の指示を出す。【０１３８】
ステップＳ９２５では、ＯＳは、スリープ状態からの復帰に備えた前処理をした後に、専用の命令を実行するか、もしくは、特別なレジスタを操作することによって、通常動作モードからサスペンドモードに移行する。これによりＣＰＵ１１２の電力の供給が停止される。以上のステップで、制御部１１１は移行処理を終える。次に、電源管理部Ａ１１７−１での移行処理を説明する。ステップＳ９１１において、電源管理部Ａ１１７−１は、制御部１１１からの電源遮断指示があれば、次のステップＳ９１２に進む。電源遮断指示がなければ、ステップＳ９１１を繰り返す。【０１３９】
ステップＳ９１２において、電源管理部Ａ１１７−１は、準備状態で動作する必要のない各機能ブロックに対して、電源を遮断する。具体的には、チューナ１０２、デコーダ１０３、音声処理部１０４、アンプ部１０５、映像処理部１０７、表示装置駆動回路１０８、及び、電源管理部Ｂ１１７−２の電力を遮断する。或いは、ごく少量の電力のみを供給するようになる。以上のステップにより、電源管理部Ａ１１７−１は移行処理を終える。上記の手順で、待機状態から準備状態への移行を完了する。【０１４０】
（８）待機状態から情報出力状態への移行５０８について図１０を参照して説明する。【０１４１】
図１０は、待機状態から情報出力状態への移行を示す一連のフローチャート図であり、トリガ発生部１１６のフローチャート図、電源管理部Ａ１１７−１と電源管理部Ｂ１１７−２のフローチャート図、制御部１１１のフローチャート図をそれぞれ示している。これらは独立して動作しているものとして説明する。まず、トリガ発生部１１６での移行処理を説明する。ステップＳ１００１において、センサ１１５は外部からの情報を取得する。ステップＳ１００２において、トリガ発生部１１６はセンサ１１５が取得した情報を解析する。ステップＳ１００３において、上記解析結果から電源ＯＮが認められた場合、次のステップＳ１００４に進む。電源ＯＮが認められない場合は、ステップＳ１００１に戻る。ステップＳ１００４において、第６トリガ発生部１１６−６は第６トリガを生成する。【０１４２】
以上のステップにより、トリガ発生部１１６は移行処理を終える。次に、電源管理部Ａ１１７−１と電源管理部Ｂ１１７−２での移行処理について説明する。ステップＳ１０１１において、電源管理部Ａ１１７−１と電源管理部Ｂ１１７−２は、第６トリガ発生部１１６−６からの第６トリガがあれば、次のステップＳ１０１２に進む。第６トリガがなければ、ステップＳ１０１１を繰り返す。ステップＳ１０１２において、電源管理部Ａ１１７−１は、準備状態で動作する必要のある各機能ブロックに対して、電源を供給する。具体的には、チューナ１０２、デコーダ１０３、音声処理部１０４、アンプ部１０５、映像処理部１０７、表示装置駆動回路１０８、電源管理部Ｂ１１７−２へ電力を供給する。電源管理部Ｂ１１７−２は、情報出力状態で動作する必要のある各機能ブロックに対して、電源を供給する。具体的には、表示装置１０９とバックライト１１０である。【０１４３】
以上のステップで、電源管理部Ａ１１７−１と電源管理部Ｂ１１７−２は移行処理を終える。尚、電源管理部Ａ１１７−１と電源管理部Ｂ１１７−２とはそれぞれ独立して動作する。また、電源管理部Ｂ１１７−２の電力は、電源管理部Ａ１１７−１において管理されているため、ステップＳ１０１１からの電源管理部Ｂ１１７−２の処理は、電源管理部Ａ１１７−１から電力が供給されてから行われるものとする。【０１４４】
次に、制御部１１１での移行処理を説明する。ステップＳ１０２１において、制御部１１１は、トリガ発生部１１６からの第６トリガがあれば、次のステップＳ１０２２に進む。第６トリガがなければ、ステップＳ１０２１を繰り返す。ステップＳ１０２２において、制御部１１１は、電力削減状態から通常に稼動する状態に復帰する。このとき、制御部１１１では、サスペンドモードにあったＣＰＵ１１２に対して電力供給が行われ、通常動作モードに移行し、停止していたＯＳが再開する。ステップＳ１０２３において、制御部１１１上で再開したＯＳは、準備状態で動作する必要のある各機能ブロックの起動が全て完了したか否かを判断し、完了していれば、ステップＳ１０２７に進む。完了していなければ、次のステップＳ１０２４に進む。ここで、準備状態で動作する必要のある各機能ブロックとは、具体的には、チューナ１０２、デコーダ１０３、音声処理部１０４、アンプ部１０５、映像処理部１０７、表示装置駆動回路１０８、及び、電源管理部Ｂ１１７−２である。【０１４５】
ステップＳ１０２４では、まだ起動を行っていない機能ブロックに対して、それが制御可能となっているか否かを判断する。制御可能となっていなければステップＳ１０２３に戻る。制御可能となっていれば次のステップＳ１０２５に進む。ステップＳ１０２５では、ＯＳは、その該当する機能ブロックに対して起動の指示を出す。ステップＳ１０２６では、ＯＳは、待機状態５０２に移行する時に、予めＲＡＭ１１３へ退避させておいた、その該当する機能ブロックの設定データを用いて、再設定を行い、ステップＳ１０２３に戻る。尚、電源管理部Ａ１１７−１からの電力供給のみで起動する機能ブロックに対しては、ステップＳ１０２５、及び、ステップＳ１０２６の処理は行わなくてもよい。ステップＳ１０２７では、ＯＳは、情報出力状態にするために制御の必要となる機能ブロックの設定を行う。具体的には、その機能ブロックは、アンプ部１０５及び表示装置駆動回路１０８である。ステップＳ１０２８では、ＯＳからアプリケーションプログラムに処理が戻る。そして、アプリケーションプログラムは、それが使用する内部状態を、「情報出力状態」へ変更する。以降、アプリケーションプログラムは、「情報出力状態」に対応する処理を行う。以上のステップで、制御部１１１は移行処理を終える。【０１４６】
尚、ステップＳ１０２３に入ってからステップＳ１０２８に至るまでに、該当する機能ブロックでは、以下のような処理が行われる。起動指示を受けたチューナ１０２は、放送波の受信を行い受信信号の復調を行い、映像信号をデコーダ１０３へ、音声信号を音声処理部１０４へ出力する。映像信号が入力されたデコーダ１０３は、符号圧縮された映像信号の復号処理を行い、映像処理部１０７へ復号済み映像データを出力する。音声信号が入力された音声処理部１０４は、符号圧縮された音声信号の復号処理を行い、アンプ部１０５へ復号済み音声データを出力する。【０１４７】
復号済み映像データが入力された表示装置駆動回路１０８は、復号済み映像記データの画質調整を行い、表示装置１０９が表示できるデータに変換し、データを表示装置１０９へは出力する。復号済み音声データが入力されたアンプ部１０５は、復号済み音声データを増幅し、スピーカ１０６へ出力する。これにより、利用者が視聴できる状態になる。【０１４８】
上記の手順で、待機状態から情報出力状態への移行を完了する。【０１４９】
（９）準備状態のまま保持する処理５０９について説明する。【０１５０】
準備状態５０２において、通常であれば時間計測部１２２での経過時間がある設定値（例えば、５分間）を超えた場合に、待機状態への移行５０７を開始するが上記設定値以内、ここでは５分以内に、照度の変化、音の変化、赤外線信号などをセンサ１１５が感じ取り、トリガ発生部１１６において上記事象を解析した結果、第５トリガと認められれば第５トリガ発生部は第５トリガを発生し、時間計測部１２２でカウントしている経過時間を予め設定された値に戻す。これら経過時間をリセットするきっかけとなる事象を第５トリガと呼ぶ。具体的には、上記の例において「４分」の時点で上記事象が検知されれば「０分」にもどされ、そこから再度カウントが開始される。これにより、準備状態５０２が延長される。【０１５１】
以下に、本発明のよる具体的な実施例について図面を参照しながら説明する。
【実施例】
【０１５２】
[実施例１]
本発明の実施例１による電子機器は、テレビジョン放送受信機の全ての機器制御信号を第１トリガと第５トリガにするテレビジョン放送記録再生機である。図１１Ａは本実施例によるテレビジョン放送記録再生機の外観図であり、図１２は回路ブロック図である。【０１５３】
本実施例によるテレビジョン放送記録再生機の動作の概要については図１から図１０までを参照してすでに説明している。ただし、上記の説明はテレビジョン放送受信機に関するものであり、本実施例によるテレビジョン放送記録再生機とは異なる部分がある。そこで、まず、その違いについて説明する。次に、動作の詳細として、具象化する必要のある、第１トリガから第６トリガとなる事象を感受するセンサ１１５と、センサ１１５から出力される値を用いて第１トリガから第６トリガを発生するトリガ発生部１１６との動作について説明する。【０１５４】
本実施例によるテレビジョン放送受信機では、音声処理部１０４からのデータは、アンプ１０５を介してスピーカ１０６に、映像処理部１０７からのデータは、表示装置駆動回路１０８を介して表示装置１０９に、それぞれ出力される。一方、図１２に示すように、本実施例によるテレビジョン放送記録再生機では、音声処理部１０４からのデータは、音声信号生成部１２０４を介して音声出力端子１２０５に、映像処理部１０７からのデータは、映像信号生成部１２０６を介して映像出力端子１２０７に、それぞれ出力される。音声出力端子１２０５、及び、映像出力端子１２０７は、テレビジョン放送受信機などの利用者に音声や映像の提示可能な装置と、ケーブルを用いて接続される。【０１５５】
音声信号生成部１２０４、音声出力端子１２０５、映像信号生成部１２０６、映像出力端子１２０７をまとめて情報出力部１２０３とする。また、テレビジョン放送記録再生機においては、チューナ１０２からのデータを格納するための蓄積装置１２０８が備わっている。蓄積装置１２０８に格納されたデータは読み出して再生することも可能となっている。その際には読み出されたデータはセレクタ１２０２を経由して再生系に流れる。セレクタ１２０２は、チューナ１０２からのデータと蓄積装置１２０８からのデータとを選択するために使用される。【０１５６】
待機状態において電源が供給される部分は、テレビジョン放送受信機とほぼ同じである。【０１５７】
準備状態において電源が供給される部分は、情報出力提示手段１２０３に含まれるブロックである、音声信号生成部１２０４、及び、映像信号生成部１２０６と、蓄積装置１２０８、以外の部分である。【０１５８】
情報出力状態において電源が供給される部分は、全ての部分である。【０１５９】
センサ１１５は、図１１Ａ、図１２においては、電源スイッチ１２００、及び、リモコン受光装置１２０１に相当する。電源スイッチ１２００は、利用者がテレビジョン放送記録再生機の電源投入、もしくは、電源遮断の指示を行うために用いられる。リモコン受光装置１２０１は、利用者がリモコンを介してテレビジョン放送記録再生機の操作を行う場合に、機器制御信号（リモコン信号）を受光するために用いられる。尚、リモコンとしては赤外線を利用するもの、電波を利用するもの、音波を利用するものなど考えられるが、ここでは一般的に広く用いられている片方向赤外線リモコンを想定して以下の説明を行う。【０１６０】
トリガ発生部１１６は、例えばマイコンにより構成され、図示しないが、内部にＣＰＵやＲＯＭ、ＲＡＭを備えているものとする。ＲＯＭには、スイッチ１２００及び、リモコン受光装置１２０１から入力された信号を解析するプログラムが格納されており、ＣＰＵによりプログラムが実行される。また、ＲＡＭはプログラムを実行する際の作業領域として用いられる。【０１６１】
本実施例によるリモコン受光装置１２０１、及び、トリガ発生部１１６からなるリモコン受光部は、他の装置からの指示情報を傍受する役割も持っており、テレビジョン放送記録再生機に対する機器制御信号だけでなく、他の装置の機器制御信号も受信する。【０１６２】
一般的に、機器制御信号は、数バイトのデータにより構成されている。これらは “０” と“１” からなるデータ列に符号化された後、キャリア波に乗せて送出される。キャリア波は、符号 “１”に対応する部分はそのまま出力され、符号“０”に対応する部分は出力されない。またこの際、符号化されたデータの前後にはリーダやストップビットなどの情報が配置されることもある。【０１６３】
図１４は、機器制御信号の生成の一例を示す図である。機器制御データ１２５０が符号化されると、符号化データ列１２５１となる。符号化データ列１２５１を信号レベルであらわしたものが符号化データ列波形１２５２である。また、この符号化データ列波形１２５２にリーダ波形１２５３とストップビット波形１２５４とが加えられたものが、機器制御信号波形１２５５である。さらにこの機器制御信号波形１２５５はキャリア波１２５６の上に乗ることになり、最終的に出力信号１２５７が生成される。【０１６４】
ここで、これらがどのように符号化されているか、どのような情報が付加されるか、基本単位はキャリア波何周期分になっているかなどはフォーマットで規定されているので、入力された信号を解析する信号解析部では、特定のフォーマットにしたがった波形だけを受け入れるようにしておけば、他のフォーマットの波形を誤って受け入れることは、通常はない。また、たとえフォーマットが同じであっても、機器制御信号の中には製造者や機種のＩＤが含まれているため、該当機種で用いられている機器制御信号以外の機器制御信号を受け入れることも、通常はない。信号解析部で行う処理は、キャリア波に乗った波形を調べることであり、符号“０”に対応する部分と符号“１”に対応する部分のそれぞれの長さを測定し、それら“０”と“１”とからなる符号化されたデータ列がフォーマットに適合しているか否かを検証し、フォーマットに適合していれば、それらを復号して、機器制御信号のデータを抽出することである。【０１６５】
図１５は、機器制御信号のデータの抽出処理の一例を示す図である。入力信号１２６０が入力されたリモコン受光装置は、その出力として出力信号１２６１を信号解析部に出力する。信号解析部では出力信号１２６１のエッジの立ち上がりや立下りを検出し、信号が“１”である期間と“０”である期間とを測定する。測定結果１２６２は、フォーマット判定１２６３がなされ、その結果が妥当であれば、復号がなされ、データ１２６４が抽出される。【０１６６】
ここで、リモコン受光部が他の装置への機器制御信号を受け入れるためには、テレビジョン放送記録再生機で用いているフォーマットにしたがった解析だけでなく、他の装置で用いられているフォーマットにしたがった解析も必要となる。これを実現する方法としては、例えば、フォーマットごとに解析モジュールを用意しておき、信号解析部が“０”又は“１”のデータの長さを測定する度に、そのデータと長さを入力として、各解析モジュールに与える。各モジュールは、ステートマシンのような動きをするようにしておけば、入力されたデータがフォーマットにしたがっている限りは正しい遷移を行い、最終的に、入力されたデータ列から送信されたデータを復号することができる。途中、入力がフォーマットを逸脱した場合は、最初のステートに戻るようにすればよい。【０１６７】
図１６はこの一連の処理の流れを示す図である。信号解析部では、まずステップＳ１２７０１において、リモコン受光装置からの出力を入力する。次にステップＳ１２７０２において、入力した信号がエッジ部分であるか否かを検出する。エッジが検出できなければステップＳ１２７０１に戻る。エッジが検出できた場合は、それがローからハイになる場合はステップＳ１２７０３に移り、今回の信号が“０”であることを示すためにｄに“０”を代入し、ステップＳ１２７０５に移る。ハイからローになる場合はステップＳ１２７０４に移り、信号が“１”であることを示すためにｄに“１”を代入し、ステップＳ１２７０５に移る。ステップＳ１２７０５では、今回のエッジ検出時刻から前回のエッジ検出時刻を減ずることで、今回のエッジ検出までにかかった時間を測定し、その結果をｔに代入し次のステップに移る。【０１６８】
ステップＳ１２７０６では解析モジュールの中から一つのモジュールを選択し、ステップＳ１２７０７では、選択されたモジュールに対して、ｄとｔを出力する。このとき、モジュールは入力されたｄとｔに対してフォーマットにしたがっているかどうかの判断を行い、最終的に、全ての入力系列がフォーマットにしたがっていれば、機器制御データを抽出し、得られたデータを登録するものとする。ステップＳ１２７０８では、他に解析モジュールが残っているか否かもチェックし、もしまだ残っていれば、ステップＳ１２７０９に移り、残りの中から解析モジュールを選択し、ステップＳ１２７０７に戻る。解析モジュールが残っていなければステップＳ１２７１０に移る。ステップＳ１２７１０では、モジュールによって登録されたデータがあるかどうかをチェックし、データがあれば、ステップＳ１２７１１において、そのデータを機器制御データとして出力した後、ステップＳ１２７１２で登録されたデータをクリアし、ステップＳ１２７０１に戻る。登録されたデータがない場合は、ステップＳ１２７０１に戻る。【０１６９】
一方、解析モジュールでは、まず、ステップＳ１２７５１において、入力されたｄとｔとが、モジュールの内部ステートや内部データと照らし合わせて、フォーマットを逸脱していないかどうかを判断する。逸脱していればステップＳ１２７５５に移る。逸脱していなければ次のステップＳ１２７５２に進み、入力されたｄとｔとを用いて、内部ステートと内部データとを更新し次のステップに進む。ステップＳ１２７５３では、内部ステートが最終ステートに達したかどうかを判断する。最終ステートでない場合は、終了する。最終ステートの場合は、ステップＳ１２７５４に移り、内部データから機器制御信号のデータを生成し、信号解析部がアクセスできる場所に機器制御信号のデータを登録し次のステップに移る。ステップＳ１２７５５では、内部ステートを初期状態に戻すとともに、内部データもクリアして、終了する。尚、解析モジュールが最初に呼ばれるときには、内部ステートや内部データは初期状態になっており、以降、呼ばれる度に内部ステートや内部データが更新されるものとする。【０１７０】
以上のようなステップを行うことにより、信号解析部は、他のフォーマットの機器制御信号も受信できるようになる。また、他の装置の機器制御信号を受信する別の方法としては、予め利用者がその機器制御信号を送出し、機器で送出された機器制御信号のパターンを学習させるという方法もある。この場合、機器には学習のためのプログラムや、学習結果を格納する部分、解析時に学習結果を適用するプログラムなどが必要となる。【０１７１】
以上のような方法を用いることにより、本実施例によるリモコン受光装置１２０１、及び、トリガ発生部１１６からなるリモコン受光部は、テレビジョン放送記録再生機に対する機器制御信号だけでなく、他の装置の機器制御信号も受信することができる。【０１７２】
次に、第１トリガについて説明する。第１トリガの目的は、利用者によるテレビジョン放送記録再生機の使用を、利用者による電源投入行為の前に察知し、予め、テレビジョン放送記録再生機の状態を待機状態から準備状態に移行させることである。【０１７３】
第１トリガの目的から、第１トリガを発生する元となる事象としては、利用者がテレビジョン放送記録再生機の近辺に現れたことを検知することが挙げられる。【０１７４】
本実施例によるテレビジョン放送記録再生機が、他の装置、例えば、テレビジョン放送受信機の近傍に設置されているとする。テレビジョン放送記録再生機はテレビジョン放送受信機と同時に利用する機会が多いため、利用者は、テレビジョン放送記録再生機の電源投入行為に前後して、テレビジョン放送受信機の操作を行うことが予想できる。すなわち、待機状態にあるテレビジョン放送記録再生機において、トリガ発生部１１６がリモコン受光装置１２０１からの入力をテレビジョン放送受信機に対する機器制御信号であると判断した場合には、それを第１トリガとすればよい。これにより、利用者がテレビジョン放送記録再生機の電源投入に先だってテレビジョン放送受信機の操作を行った場合には、テレビジョン放送記録再生機を待機状態から準備状態に移行させておくことができる。【０１７５】
トリガ発生部１１６が、リモコン受光装置１２０１からの入力をテレビジョン放送受信機の操作であると判別するには、予め、ＲＡＭにテレビジョン放送受信機の機器制御信号を全て格納しておき、入力された機器制御信号が格納された機器制御信号の中に含まれているか否かを確認すればよい。ＲＡＭにテレビジョン放送受信機の機器制御信号を格納するには、例えば、ＲＯＭ１１４に格納されたテレビジョン放送受信機の機器制御信号を、テレビジョン放送記録再生機の通電開始時に、制御部１１１にあるＲＯＭ１１４から転送するなどの処理をすればよい。なお、以降の説明においては、ＲＡＭに機器制御信号を格納する方法については、上記の例と同様であるため説明を省略する。【０１７６】
次に、第２トリガについて説明する。第２トリガの目的は、利用者の意思で、準備状態から情報出力状態へ移行させることである。すでに述べたように、待機状態から準備状態への移行は、利用者の意思にかかわらず行われるため、準備状態から情報出力状態へ移行する際には利用者の意思を考慮する必要がある。【０１７７】
第２トリガの目的から、第２トリガを発生する元となる事象は、利用者による電源投入指示を受け取ることであり、具体的には電源スイッチ１２００をＯＮにする、もしくは、リモコンによる電源投入指示をリモコン受光装置１２０１で受光することである。【０１７８】
準備状態にあるテレビジョン放送記録再生機において、トリガ発生部１１６がリモコン受光装置１２０１からの入力をテレビジョン放送記録再生機に対する電源投入指示の機器制御信号であると判断した場合、或いは、電源スイッチ１２００が電源投入状態に変更されたことをトリガ発生部１１６が検知した場合、それらを第２トリガとすればよい。【０１７９】
トリガ発生部１１６が、リモコン受光装置１２０１からの入力をテレビジョン放送記録再生機に対する操作であると判別するには、予め、ＲＡＭにテレビジョン放送記録再生機の機器制御信号、ここでは、電源投入指示に相当する信号を格納しておき、入力された機器制御信号が格納された機器制御信号に等しいかどうかを確認すればよい。【０１８０】
次に、第３トリガについて説明する。第３トリガの目的は、利用者の意思で、情報出力状態から準備状態へ移行させることである。第３トリガの目的から、第３トリガを発生する元となる事象は、利用者による電源遮断指示を受け取ることであり、具体的には電源スイッチ１２００をＯＦＦにする、もしくは、リモコンによる電源遮断指示をリモコン受光装置１２０１で受光することである。【０１８１】
準備状態にあるテレビジョン放送記録再生機において、トリガ発生部１１６がリモコン受光装置１２０１からの入力をテレビジョン放送記録再生機に対する電源遮断指示の機器制御信号であると判断した場合、或いは、電源スイッチ１２００が電源遮断状態に変更されたことをトリガ発生部１１６が検知した場合、それらを第３トリガとすればよい。【０１８２】
トリガ発生部１１６が、リモコン受光装置１２０１からの入力をテレビジョン放送記録再生機に対する操作であると判別するには、予め、ＲＡＭにテレビジョン放送記録再生機の機器制御信号、ここでは、電源遮断指示に相当する信号を格納しておき、入力された機器制御信号が格納された機器制御信号に等しいかどうかを確認すればよい。【０１８３】
次に、第４トリガについて説明する。第４トリガの目的は、利用者による電源投入行為が行われないことを察知し、第１トリガ、又は、第３トリガにより準備状態になったテレビジョン放送記録再生機を、待機状態に移行させることである。準備状態に移行してきたテレビジョン放送記録再生機は、少なくとも、テレビジョン放送記録再生機の近傍に利用者が存在しているため、待機状態にある場合よりも利用される可能性は高いが、必ずしも利用されるとは限らない。したがって、消費電力低減の観点からみて、利用されないと判断した場合に、待機状態に移行させる必要がある。【０１８４】
第４トリガの目的から、第４トリガを発生する元となる事象は、例えば、テレビジョン放送記録再生機やテレビジョン放送受信機に対して何の操作も行われずに一定時間経過したかどうか、を検知することである。準備状態にあるテレビジョン放送記録再生機において、トリガ発生部１１６は、準備状態に移行した時点からの時間を計測しておき、ある一定時間に達するまでに、あらゆるトリガの発生する事象を検知できなかった場合に、それを第４トリガとする。トリガ発生部１１６が時間を計測するには、例えば時間計測部１２２を利用する。【０１８５】
次に、第５トリガについて説明する。第５トリガの目的は、利用者によるテレビジョン放送記録再生機の使用を、利用者による電源投入行為の前に察知し、引き続き、テレビジョン放送記録再生機の状態を準備状態のまま継続させておくことである。本実施例では、消費電力削減の観点から、準備状態に移行完了後、第２トリガが発生しないまま予め定められた時間が経過すれば待機状態に移行するため、利用者がテレビジョン放送記録再生機の電源投入行為を行う可能性が高ければ、待機状態に移行しないようにする必要がある。【０１８６】
第５トリガの目的から、第５トリガを発生する元となる事象は、テレビジョン放送記録再生機の近辺に利用者が継続して存在することを検知することである。【０１８７】
第１トリガと同じく、テレビジョン放送受信機の操作を行っているのであれば、テレビジョン放送記録再生機の電源投入が行われる可能性が高いので、準備状態にあるテレビジョン放送記録再生機において、トリガ発生部１１６がリモコン受光装置１２０１からの入力をテレビジョン放送記録再生機に対する機器制御信号であると判断した場合には、それを第５トリガとすればよい。これにより、テレビジョン放送記録再生機を準備状態のまま継続することができる。トリガ発生部１１６が、リモコン受光装置１２０１からの入力をテレビジョン放送受信機の操作であると判別するには、第１トリガで適用した方法と同じものを用いればよい。【０１８８】
次に、第６トリガについて説明する。第６トリガの目的は、利用者の意思で、待機状態から情報出力状態へ移行させることである。すなわち、第１トリガを検出できず、予め、準備状態に移行することができなかった場合を考慮してのことである。【０１８９】
第６トリガの発生方法は、第２トリガの発生方法と同じである。このようにすることで、テレビジョン放送記録再生機は、テレビジョン放送受信機への何らかの操作があれば、一定時間は準備状態にあるので、引き続くテレビジョン放送記録再生機の電源投入指示に対して、すばやく起動することができる。【０１９０】
[実施例２]
本発明の第２の実施例は、テレビジョン放送記録再生機の全ての機器制御信号を第１トリガと第５トリガにするテレビジョン放送受信機に関する。本実施例は実施例１のテレビジョン放送記録再生機とテレビジョン放送受信機との立場を入れ替えたものであり、動作概要は同じであるので、異なる部分に関してのみ説明する。【０１９１】
図１１Ｂは本実施例によるテレビジョン放送受信機の外観図であり、図１３は本実施例によるテレビジョン放送受信機の回路ブロック図である。センサ１１５は、図１１Ｂ、図１３においては電源スイッチ１２００、及び、リモコン受光装置１２０１に相当する。電源スイッチ１２００は利用者がテレビジョン放送受信機の電源投入、もしくは、電源遮断の指示を行うために用いられる。リモコン受光装置１２０１は、利用者がリモコンを介してテレビジョン放送受信機の操作を行う場合に、機器制御信号を受光するために用いられる。【０１９２】
次に、第１トリガについて説明する。第１トリガの目的は、利用者によるテレビジョン放送受信機の使用を、利用者による電源投入行為の前に察知し、予め、テレビジョン放送受信機の状態を待機状態から準備状態に移行させることである。第１トリガの目的から、第１トリガを発生する元となる事象は、例えば利用者がテレビジョン放送受信機の近辺に現れたことを検知することである。本実施例によるテレビジョン放送受信機が、他の装置、例えば、テレビジョン放送記録再生機の近傍に設置されているとする。テレビジョン放送記録再生機はテレビジョン放送受信機と同時に利用する機会が多いため、利用者は、テレビジョン放送受信機の電源投入行為に前後して、テレビジョン放送記録再生機の操作を行うことが予想できる。すなわち、待機状態にあるテレビジョン放送受信機において、トリガ発生部１１６がリモコン受光装置１２０１からの入力をテレビジョン放送記録再生機に対する機器制御信号であると判断した場合には、それを第１トリガとすればよい。これにより、利用者がテレビジョン放送受信機の電源投入に先だってテレビジョン放送記録再生機の操作を行った場合には、テレビジョン放送受信機を待機状態から準備状態に移行させておくことができる。【０１９３】
トリガ発生部１１６が、リモコン受光装置１２０１からの入力をテレビジョン放送記録再生機の操作であると判別するには、予め、ＲＡＭにテレビジョン放送記録再生機の機器制御信号を全て格納しておき、入力された機器制御信号が格納された機器制御信号の中に含まれているかどうかを確認すればよい。【０１９４】
次に、第２トリガについて説明する。第２トリガの目的は、利用者の意思で、準備状態から情報出力状態へ移行させることである。すでに述べたように、待機状態から準備状態への移行は、利用者の意思にかかわらず行われるため、準備状態から情報出力状態へ移行する際には利用者の意思を考慮する必要がある。【０１９５】
第２トリガの目的から、第２トリガを発生する元となる事象は、利用者による電源投入指示を受け取ることであり、具体的には電源スイッチ１２００をＯＮにする、もしくは、リモコンによる電源投入指示をリモコン受光装置１２０１で受光することである。【０１９６】
準備状態にあるテレビジョン放送受信機において、トリガ発生部１１６がリモコン受光装置１２０１からの入力をテレビジョン放送受信機に対する電源投入指示の機器制御信号であると判断した場合、或いは、電源スイッチ１２００が電源投入状態に変更されたことをトリガ発生部１１６が検知した場合、それらを第２トリガとすればよい。【０１９７】
トリガ発生部１１６が、リモコン受光装置１２０１からの入力をテレビジョン放送受信機に対する操作であると判別するには、予め、ＲＡＭにテレビジョン放送受信機の機器制御信号、ここでは、電源投入指示に相当する信号を格納しておき、入力された機器制御信号が格納された機器制御信号に等しいかどうかを確認すればよい。【０１９８】
次に、第３トリガについて説明する。第３トリガの目的は、利用者の意思で、テレビジョン放送受信機を情報出力状態から準備状態へ移行させることである。第３トリガの目的から、第３トリガを発生する元となる事象は、利用者による電源遮断指示を受け取ることであり、具体的には電源スイッチ１２００をＯＦＦにする、もしくは、リモコンによる電源遮断指示をリモコン受光装置１２０１で受光することである。【０１９９】
準備状態にあるテレビジョン放送受信機において、トリガ発生部１１６がリモコン受光装置１２０１からの入力をテレビジョン放送受信機に対する電源遮断指示の機器制御信号であると判断した場合、或いは、電源スイッチ１２００が電源遮断状態に変更されたことをトリガ発生部１１６が検知した場合、それらを第３トリガとすればよい。【０２００】
トリガ発生部１１６が、リモコン受光装置１２０１からの入力をテレビジョン放送受信機に対する操作であると判別するには、予め、ＲＡＭにテレビジョン放送受信機の機器制御信号、ここでは、電源遮断指示に相当する信号を格納しておき、入力された機器制御信号が格納された機器制御信号に等しいかどうかを確認すればよい。【０２０１】
次に、第４トリガについて説明する。第４トリガの目的は、利用者による電源投入行為が行われないことを察知し、第１トリガ、又は、第３トリガにより準備状態になったテレビジョン放送受信機を、待機状態に移行させることである。準備状態に移行してきたテレビジョン放送受信機は、少なくとも、テレビジョン放送受信機の近傍に利用者が存在しているため、待機状態にある場合よりも利用される可能性は高いが、必ずしも利用されるとは限らない。したがって、消費電力低減の観点からみて、利用されないと判断した場合に、待機状態に移行させる必要がある。【０２０２】
第４トリガの目的から、第４トリガを発生する元となる事象は、例えば、テレビジョン放送受信機やテレビジョン放送記録再生機に対して何の操作も行われずに一定時間経過したかどうか、を検知することである。【０２０３】
準備状態にあるテレビジョン放送受信機において、トリガ発生部１１６は、準備状態に移行した時点からの時間を計測しておき、ある一定時間に達するまでに、あらゆるトリガの発生する事象を検知できなかった場合に、それを第４トリガとする。トリガ発生部１１６が時間を計測するには、時間計測部１２２を利用することができる。【０２０４】
次に、第５トリガについて説明する。第５トリガの目的は、利用者によるテレビジョン放送受信機の使用を、利用者による電源投入行為の前に察知し、引き続き、テレビジョン放送受信機の状態を準備状態のまま継続させておくことである。本実施例では、消費電力削減の観点から、準備状態に移行完了後、第２トリガが発生しないまま予め定められた時間が経過すれば待機状態に移行するため、利用者がテレビジョン放送受信機の電源投入行為を行う可能性が高ければ、待機状態に移行しないようにする必要がある。第５トリガの目的から、第５トリガを発生する元となる事象は、例えばテレビジョン放送受信機の近辺に利用者が継続して存在することを検知することである。【０２０５】
第１トリガと同じく、テレビジョン放送記録再生機の操作を行っているのであれば、テレビジョン放送受信機の電源投入が行われる可能性が高いので、準備状態にあるテレビジョン放送受信機において、トリガ発生部１１６がリモコン受光装置１２０１からの入力をテレビジョン放送記録再生機に対する機器制御信号であると判断した場合には、それを第５トリガとすればよい。これにより、テレビジョン放送受信機を準備状態のまま継続することができる。【０２０６】
トリガ発生部１１６が、リモコン受光装置１２０１からの入力をテレビジョン放送記録再生機の操作であると判別するには、第１トリガで適用した方法と同じものを用いればよい。【０２０７】
次に、第６トリガについて説明する。第６トリガの目的は、利用者の意思で、待機状態から情報出力状態へ移行させることである。すなわち、第１トリガを検出できず、予め、準備状態に移行することができなかった場合を考慮してのことである。第６トリガの発生方法は、第２トリガの発生方法と同じである。【０２０８】
このようにすることで、テレビジョン放送受信機は、テレビジョン放送記録再生機への何らかの操作があれば、一定時間は準備状態にあるので、引き続くテレビジョン放送受信機の電源投入指示に対して、すばやく起動することができる。【０２０９】
[実施例３]
次に、本発明の第３実施例について説明する。本実施例は、テレビジョン放送受信機の全ての機器制御信号を第１トリガ、電源遮断の機器制御信号以外を第５トリガにするテレビジョン放送記録再生機に関する。実施例１では、テレビジョン放送受信機に対する全てのリモコン操作で送出される機器制御信号に対して、第１トリガと第５トリガに割り当てるテレビジョン放送記録再生機に関して説明した。【０２１０】
しかしながら、テレビジョン放送受信機に対する全ての機器制御信号を第１トリガと第５トリガに割り当てると、利用者がテレビジョン放送受信機の電源遮断指示を行った後、引き続いてテレビジョン放送記録再生機が使用される可能性が低いような状況においても、テレビジョン放送記録再生機では第５トリガが発生するため準備状態を延長してしまい、無駄な電力を消費してしまうことがある。【０２１１】
そこで、本実施例では、電源遮断指示を除く操作に対してのみ、第５トリガを生成するようにする。より具体的には、実施例１と異なり、準備状態にあるテレビジョン放送記録再生機において、トリガ発生部１１６がリモコン受光装置１２０１からの入力をテレビジョン放送受信機に対する電源遮断指示以外の機器制御信号であると判断した場合には、それを第５トリガとすればよい。それ以外は実施例１と同じである。このようにすることで、テレビジョン放送受信機は、電源遮断指示に対する不要な準備状態の延長を防ぐことができる。【０２１２】
[実施例４]
次に、本発明の第４実施例について説明を行う。本実施例は、テレビジョン放送記録再生機の全ての機器制御信号を第１トリガ、電源遮断以外の機器制御信号を第５トリガにするテレビジョン放送受信機に関する。実施例２ではテレビジョン放送記録再生機に対する全ての機器制御信号に対して、第１トリガと第５トリガに割り当てるテレビジョン放送受信機に関して説明した。【０２１３】
しかしながら、テレビジョン放送記録再生機に対する全ての機器制御信号を第１トリガと第５トリガに割り当てると、利用者がテレビジョン放送記録再生機の電源遮断指示を行った後、引き続いてテレビジョン放送受信機が使用される可能性が低いような状況においても、テレビジョン放送受信機では第５トリガが発生するため準備状態を延長してしまい、無駄な電力を消費してしまうことがある。【０２１４】
そこで、本実施例では、電源遮断指示を除く操作に対してのみ、第５トリガを生成するようにしておく。具体的には、実施例２と異なり、準備状態にあるテレビジョン放送受信機において、トリガ発生部１１６がリモコン受光装置１２０１からの入力をテレビジョン放送記録再生機に対する電源遮断指示以外の機器制御信号であると判断した場合には、それを第５トリガとすればよい。それ以外は実施例２と同様である。【０２１５】
このようにすることにより、本実施例によるテレビジョン放送記録再生機においては、電源遮断指示に対する不要な準備状態の延長を防ぐことができる。【０２１６】
[実施例５]
次に、本発明の第５実施例によるテレビジョン放送記録再生機について説明を行う。本実施の形態によるテレビジョン放送記録再生機は、テレビジョン放送受信機の電源投入信号を第１トリガ、その他は任意トリガにするテレビジョン放送記録再生機である。上記実施例３においては、テレビジョン放送受信機の電源遮断指示に対して第５トリガを割り当てない方法について説明した。しかしながら、その方法でも、利用者がテレビジョン放送受信機の電源投入指示を行った後、テレビジョン放送受信機で閉じた何らかの操作、例えば、テレビジョン放送記録再生機とは関連のない時刻の設定などを行い、かつ、テレビジョン放送受信機の電源遮断指示を行う、というような、テレビジョン放送受信機の操作後、引き続いてテレビジョン放送記録再生機が使用される可能性が低いような状況においても、テレビジョン放送記録再生機では第１トリガと第５トリガとが発生するため、準備状態が延長されてしまい、無駄な電力を消費してしまうことになる。【０２１７】
そこで、このような場合には、テレビジョン放送受信機の個々のリモコン操作に対して、利用者が引き続きテレビジョン放送記録再生機を使用する可能性が高いか否かを判別する情報、換言すれば、リモコン操作がテレビジョン放送記録再生機の使用に関連しているか否かに関する情報を加味してトリガを生成すれば、上記のような無駄な電力消費を最小限に抑えることができる。【０２１８】
より具体的には、トリガ発生部１１６のＲＡＭには、テレビジョン放送受信機に対する各リモコン操作で送出される機器制御信号ごとに、どのトリガを割り当てるか、という情報を持たせた参照テーブルを保持しておき、トリガ発生部１１６は、傍受した機器制御信号に対して生成すべきトリガを、そのテーブルを参照して決めればよい。【０２１９】
例えば、最も効果的なトリガの割り当て方法としては、少なくとも、電源投入指示・電源遮断指示に対応する操作に関しては、第１トリガだけを割り当て、第５トリガは割り当てないものである。タイマ操作や時刻設定など、テレビジョン放送記録再生機が使用されない内部で閉じた機能に対してのみ使用される操作に関しては、第１トリガも第５トリガも割り当てない。入力切替操作など、明らかにテレビジョン放送記録再生機と連携する機能に対して使用される操作に関しては、第１トリガと第５トリガとのいずれか、又は、両方を割り当てる。それ以外の操作に関しては、第５トリガを割り当てる。【０２２０】
別の言い方をすると、利用者がテレビジョン放送記録再生機からの入力を期待するテレビジョン放送受信機の操作に使用するリモコン操作で送出される機器制御信号群Ａと、テレビジョン放送記録再生機からの入力を期待しない同機器制御信号群Ｂと、それらの積である機器制御信号群Ｃを考えると、
Ａ−Ｃ：テレビジョン放送記録再生機と関連する機器制御信号群
Ｂ−Ｃ：テレビジョン放送記録再生機と関連しない機器制御信号群
Ｃ    ：どちらともいえない機器制御信号群
ということになる。ここでＡ−Ｃの機器制御信号群に関しては第１トリガ、又は、第５トリガ、或いは、その両方を割り当てる。Ｂ−Ｃの機器制御信号群に関しては第１トリガと第５トリガのどちらも割り当てず、Ｃの信号群に関しては、第５トリガを割り当てることになる。但し、電源投入指示・電源遮断指示に対応する機器制御信号に関しては、第１トリガのみ割り当てる。【０２２１】
図１７は、本実施例による参照テーブルの例であり、参照テーブル１３００は、機器制御信号部１３０１と、トリガ種別部１３０２とからなる。待機状態にあるテレビジョン放送記録再生機において、トリガ発生部１１６は、リモコン受光装置１２０１が取得した機器制御信号を解析し、参照テーブル１３００に列挙されている機器制御信号部１３０１の中から探し出し、一致するものがあれば、その機器制御信号に対応するトリガ種別部１３０２の値を読み出す。第１トリガが割り当てられていれば、第１トリガを発生する。尚、図１７では、簡単のため機器制御信号部１３０１には機能名を記載したが、実際には、その機能に対する機器制御信号のデータが格納されている。【０２２２】
準備状態にあるテレビジョン放送記録再生機において、トリガ発生部１１６は、リモコン受光装置１２０１が取得した機器制御信号を解析し、参照テーブル１３００に列挙されている機器制御信号部１３０１の中から探し出し、一致するものがあれば、その機器制御信号に対するトリガ種別部１３０２の値を読み出し、第５トリガが割り当てられていれば、第５トリガを発生する。【０２２３】
このようにすることにより、テレビジョン放送記録再生機は、テレビジョン放送受信機への任意のリモコンによる操作を第１トリガ、第５トリガに割り当てることができ、不要な準備状態の延長処理を防ぐことができる。【０２２４】
尚、参照テーブル１３００の構成は単なる一例であり、第１トリガ、第５トリガとなり得る機器制御信号が判定できればどのような構成であってもよい。また、トリガ種別は包括的に設定されていても、排他的に設定されていてもよい。また、第１トリガと第５トリガの割り当て方法は、本実施例の方法に限定されるものではない。【０２２５】
[実施例６]
次に、本発明の第６実施例によるテレビジョン放送記録再生機の電源投入信号を第１トリガ、その他は任意トリガにする方法について説明を行う。実施例４では、テレビジョン放送記録再生機の電源遮断指示に対して第５トリガを割り当てない方法について説明した。しかしながら、その方法でも、利用者がテレビジョン放送記録再生機の電源投入指示を行った後、テレビジョン放送記録再生機で閉じた何らかの操作、例えば、テレビジョン放送受信機とは関連のない時刻の設定などを行い、かつ、テレビジョン放送記録再生機の電源遮断指示を行う、というような、テレビジョン放送記録再生機の操作後、引き続いてテレビジョン放送受信機が使用される可能性が低いような状況においても、テレビジョン放送受信機では第１トリガと第５トリガが発生するため準備状態を延長してしまい、無駄な電力を消費してしまうことになる。【０２２６】
そこで、このような場合には、テレビジョン放送記録再生機の個々のリモコン操作に対して、利用者が引き続きテレビジョン放送受信機を使用する可能性が高いか否かを判別する情報、換言すれば、リモコン操作がテレビジョン放送受信機の使用に関連しているか否かという情報を加味してトリガを生成すれば、上記のような無駄な電力消費を最小限に抑えることができる。【０２２７】
より具体的には、トリガ発生部１１６のＲＡＭには、テレビジョン放送記録再生機に対する各リモコン操作で送出される機器制御信号ごとに、どのトリガを割り当てるか、という情報を持たせた参照テーブルを保持しておき、トリガ発生部１１６は、傍受した機器制御信号に対して生成すべきトリガを、そのテーブルを参照して決めればよい。【０２２８】
最も効果的な割り当て方法の例としては、少なくとも、電源投入指示・電源遮断指示に対応する操作に関しては、第１トリガだけを割り当て、第５トリガは割り当てない。予約操作や時刻設定など、テレビジョン放送受信機が使用されない内部で閉じた機能に対してのみ使用される操作に関しては、第１トリガも第５トリガも割り当てない。再生操作や出力切り替え操作など、明らかにテレビジョン放送受信機と連携する機能に対して使用される操作に関しては、第１トリガと第５トリガのどちらか、又は、両方を割り当てる。それ以外の操作に関しては、第５トリガを割り当てる。【０２２９】
別の言い方をすると、利用者がテレビジョン放送受信機への出力を期待するテレビジョン放送記録再生機の操作に使用するリモコン操作で送出される機器制御信号群Ａと、テレビジョン放送受信機への出力を期待しない同機器制御信号群Ｂと、それらの積である機器制御信号群Ｃを考えると、
Ａ−Ｃ：テレビジョン放送受信機と関連する機器制御信号群
Ｂ−Ｃ：テレビジョン放送受信機と関連しない機器制御信号群
Ｃ    ：どちらともいえない機器制御信号群
ということになる。ここでＡ−Ｃの機器制御信号群に関しては第１トリガ、又は、第５トリガ、或いは、その両方を割り当てる。Ｂ−Ｃの機器制御信号群に関してはどちらも割り当てず、Ｃの信号群に関しては、第５トリガを割り当てることになる。但し、電源投入指示・電源遮断指示に対応する機器制御信号に関しては、第１トリガのみ割り当てる。【０２３０】
図１８は、本実施例における参照テーブルの例であり、参照テーブル１３１０は、機器制御信号部１３１１と、トリガ種別部１３１２と、からなる。【０２３１】
待機状態にあるテレビジョン放送受信機において、トリガ発生部１１６は、リモコン受光装置１２０１が取得した機器制御信号を解析し、参照テーブル１３１０に列挙されている機器制御信号部１３１１の中から探し出し、一致するものがあれば、その機器制御信号に対するトリガ種別部１３１２の値を読み出し、第１トリガが割り当てられていれば、第１トリガを発生する。なお、図１８では、機器制御信号部１３１１には機能名が書かれているが、実際には、その機能に対する機器制御信号のデータが格納されているものとする。【０２３２】
準備状態にあるテレビジョン放送受信機において、トリガ発生部１１６は、リモコン受光部１２０１が取得した機器制御信号を解析し、参照テーブル１３１０に列挙されている機器制御信号部１３１１の中から探し出し、一致するものがあれば、その機器制御信号に対するトリガ種別部１３１２の値を読み出し、第５トリガが割り当てられていれば、第５トリガを発生する。【０２３３】
このようにすることで、テレビジョン放送受信機は、テレビジョン放送記録再生機への任意のリモコンによる操作を第１トリガ、第５トリガに割り当てることができ、不要な準備状態の延長処理を防ぐことができる。【０２３４】
尚、参照テーブル１３１０の構造は単に一例であり、第１トリガ、第５トリガとなり得る機器制御信号が判定できればどのようなものであってもよい。また、トリガ種別は包括的に設定されても、排他的に設定されてもよい。また、第１トリガと第５トリガの割り当て方法は、本実施例による方法に限定されるものではない。【０２３５】
[実施例７]
本発明の第７実施例は、テレビジョン放送受信機の電源のオン・オフ判定部を備えたテレビジョン放送記録再生機に関する。実施例３、実施例５では、テレビジョン放送受信機への電源投入・電源遮断信号に関しては、第１トリガとし、第５トリガにはしないという方法について説明した。【０２３６】
しかしながら、電源投入・電源遮断信号は、同じ機器制御信号であるため、テレビジョン放送受信機が実際に電源投入されたのか、電源遮断されたのかは、信号を傍受するだけでは正確な判断ができない。なぜなら、利用者のリモコン操作に仕方によっては、テレビジョン放送記録再生機が機器制御信号を受光できたにもかかわらず、テレビジョン放送受信機では機器制御信号を受光できなかったということ、或いは、その逆のことが起こる可能性があるからである。このような場合、テレビジョン放送記録再生機は、テレビジョン放送受信機の電源投入と電源遮断を逆に取り違えてしまうこともが考えられる。また、テレビジョン放送受信機に対する電源投入操作により準備状態になったテレビジョン放送記録再生機は、一定時間が経過すると待機状態に戻るが、その後にテレビジョン放送受信機に対する電源遮断操作が行われた場合も、テレビジョン放送記録再生機は、テレビジョン放送受信機の電源投入と電源遮断とを逆に取り違えてしまうことも考えられる。この場合、テレビジョン放送記録再生機は、無駄に準備状態に遷移することになるので、無駄な電力を消費してしまうことになる。【０２３７】
そこで、このような場合には、テレビジョン放送受信機に対する電源投入・電源遮断信号が実際にテレビジョン放送受信機にどのような影響を及ぼしているかを検出（判断）することができれば、このような取り違えを防ぐことができ、無駄な消費電力を減らすことができる。【０２３８】
具体的には、図１９に示すように、テレビジョン放送受信機の電源オン・オフを判定するオン・オフ判定部１２０９を追加し、このオン・オフ判定部１２０９からの出力を利用して、電源投入・電源遮断信号が実際にテレビジョン放送受信機にどのような影響を及ぼしたのかを判断する。テレビジョン放送受信機のオン・オフを判定する方法としては、例えば、テレビジョン放送受信機の電源オン時は大電力を消費するので電源電圧の変化を測定したり、或いは、テレビジョン放送記録再生機とテレビジョン放送受信機がともにネットワークやＰＬＣ（Ｐｏｗｅｒ  Ｌｉｎｅ  Ｃｏｎｔｒｏｌ：電力線搬送）が使用できるのであれば、パケットをテレビジョン放送受信機に投げて返事の有無をチェックしたり、或いは、テレビジョン放送受信機からテレビジョン放送記録再生機に対して映像信号や音声信号が出力されているのであれば、正しい信号が入力されているかどうかチェックしたりするなどの方法が考えられる。【０２３９】
より具体的には、待機状態時に電源投入・電源遮断信号を受信した場合、トリガ発生部１１６は、オン・オフ判定部１２０９からの判定結果を受け取る。ここで、もし、オン・オフ判定部１２０９がテレビジョン放送受信機の電源が投入されたと判定した場合には、そのまま第１トリガを生成する。電源遮断されたと判定した場合には、第１トリガの生成は行わないようにする。これにより、準備状態への無駄な遷移をなくすことができる。【０２４０】
また、準備状態時に電源投入・電源遮断信号を受信した場合、トリガ発生部１１６は、オン・オフ判定部１２０９からの判定結果を受け取る。ここで、もし、オン・オフ判定部１２０９がテレビジョン放送受信機が電源遮断されたと判定した場合には、準備状態から待機状態に遷移するための残り時間を操作して半分に減らしたり、或いは、一定の時間（例えば１０秒）に再設定するなどして、待機状態への遷移を前倒しすることができる。【０２４１】
以上のようにすることで、テレビジョン放送受信機に対する電源投入・電源遮断信号を受信した場合、取り違えて認識することがなくなり、無駄に準備状態に遷移することをなくすことができる。また、準備状態から待機状態に遷移するまでの時間を減らすこともできる。したがって、無駄な消費電力を減らすことができる。【０２４２】
尚、上記実施例の説明は例示であり、本発明を限定するものではない。全ての条件が満たされていなくてもよい。
【産業上の利用可能性】
【０２４３】
本発明は、電子機器に利用可能である。
【図１】
2007026615.tif 000002
【図２】
2007026615.tif 000003
【図３】
2007026615.tif 000004
【図４】
2007026615.tif 000005
【図５】
2007026615.tif 000006
【図６】
2007026615.tif 000007
【図７】
2007026615.tif 000008
【図８】
2007026615.tif 000009
【図９】
2007026615.tif 000010
【図１０】
2007026615.tif 000011
【図１１Ａ】
2007026615.tif 000012
【図１１Ｂ】
2007026615.tif 000013
【図１２】
2007026615.tif 000014
【図１３】
2007026615.tif 000015
【図１４】
2007026615.tif 000016
【図１５】
2007026615.tif 000017
【図１６】
2007026615.tif 000018
【図１７】
2007026615.tif 000019
【図１８】
2007026615.tif 000020
【図１９】
2007026615.tif 000021
【国際調査報告】
2007026615.tif 000022
2007026615.tif 000023
2007026615.tif 000024